(57)【要約】      （修正有）【課題】外光の反射を抑制しつつ、ディスプレイから出射する光強度の低下が抑制された、ディスプレイ用反射防止フィルム、及び反射防止フィルム付きディスプレイを提供する。【解決手段】ディスプレイ用反射防止フィルム１００は、第１主面１１１と第２主面１１２と第１主面１１１に設けられた複数の凹部１１３とを含む透明部１１０と、凹部１１３のそれぞれを覆う黒色部１２０とを含み、凹部１１３は、第１主面１１１からの深さがｈ１であり、第１主面１１１と平行な面に対する傾斜角が（９０°−１／２×θ１）である第１斜面部１１４ａ、１１４ｂを含み、０°＜θ１＜１８０°であり、第１斜面部１１４ａ、１１４ｂは、第２主面１１２側から入射した光を反射する。【選択図】図２
2019215455.tif 000002
【特許請求の範囲】
【請求項１】
第１主面と第２主面と前記第１主面に設けられた複数の凹部とを含む透明部と、前記凹部のそれぞれを覆う黒色部とを含み、
前記凹部は、前記第１主面からの深さがｈ１であり、前記第１主面と平行な面に対する傾斜角が（９０°−１／２×θ１）である第１斜面部を含み、０°＜θ１＜１８０°であり、
前記第１斜面部は、前記第２主面側から入射した光を反射する、
ディスプレイ用反射防止フィルム。
【請求項２】
前記凹部は、前記第１斜面部を２以上含み、前記第１斜面部は、前記第１主面からの深さｈ１の位置で互いに交わる、請求項１に記載のディスプレイ用反射防止フィルム。
【請求項３】
前記第１斜面部の全光線反射率が７０％以上である、請求項１又は２に記載のディスプレイ用反射防止フィルム。
【請求項４】
複数の前記凹部が、複数の溝である、請求項１〜３のいずれか１項に記載のディスプレイ用反射防止フィルム。
【請求項５】
複数の前記溝が、互いに交わらない複数の第１の溝を含む、請求項４に記載のディスプレイ用反射防止フィルム。
【請求項６】
複数の前記第１の溝が、互いに平行に設けられている、請求項５に記載のディスプレイ用反射防止フィルム。
【請求項７】
複数の前記第１の溝が、一定のピッチｐ１で設けられている、請求項５又は６に記載のディスプレイ用反射防止フィルム。
【請求項８】
複数の前記溝が、互いに交わらない複数の第２の溝を更に含み、前記第２の溝は、前記第１の溝と交わる、請求項５〜７のいずれか１項に記載のディスプレイ用反射防止フィルム。
【請求項９】
複数の前記第２の溝が、互いに平行に設けられている、請求項８に記載のディスプレイ用反射防止フィルム。
【請求項１０】
複数の前記第２の溝が、一定のピッチｐ１で設けられている、請求項８又は９に記載のディスプレイ用反射防止フィルム。
【請求項１１】
下記式（１）及び式（２）を満たす、請求項７又は１０に記載のディスプレイ用反射防止フィルム。
０°≦｜θ１−（θＣＲ−θＲ）｜≦５°    （１）
０．９×ｈ１×（ｔａｎθＣＲ＋ｔａｎ（θ１／２））≦ｐ１≦１．１×ｈ１×（ｔａｎθＣＲ＋ｔａｎ（θ１／２））    （２）
但し、θＣＲは、前記透明部と空気との臨界角（°）であり、θＲは、ｓｉｎθＲ／ｓｉｎ２５°＝１．５２／ｎ１の関係を満たす角度（°）であり、ここでｎ１は前記透明部の屈折率である。
【請求項１２】
前記透明部の屈折率ｎ１が１．５３±０．１であり、θ１＝１６°±５°であり、ｐ１＝（１．０１±０．１）×ｈ１である、請求項７、１０又は１１に記載のディスプレイ用反射防止フィルム。
【請求項１３】
前記凹部が、前記第１主面と平行な面に対する傾斜角が（９０°−１／２×θ２）であり、前記第１主面と連続する第２斜面部をさらに含み、１８０°＞θ２＞θ１＞０°であり、前記第２斜面部は、前記第２主面側から入射した光を反射し、前記第１斜面部と前記第２斜面部とが連続する、請求項１〜１２のいずれか１項に記載のディスプレイ用反射防止フィルム。
【請求項１４】
前記第２斜面部の全光線反射率が７０％以上である、請求項１３に記載のディスプレイ用反射防止フィルム。
【請求項１５】
前記凹部が、前記第２斜面部を２以上含み、θ２＝４１°±５°であり、２以上の前記第２斜面部を延ばして得られる面が互いに交わる位置の、前記第１主面からの深さをｈ２とすると、ｈ２＝（０．５±０．１）×ｈ１を満たす、請求項１３又は１４に記載のディスプレイ用反射防止フィルム。
【請求項１６】
前記第１主面側における表面積の３３％以上８０％以下が前記黒色部で覆われている、請求項１〜１５のいずれか１項に記載のディスプレイ用反射防止フィルム。
【請求項１７】
前記複数の凹部と、前記黒色部とで囲まれる空間が空気で満たされている、請求項１〜１６のいずれか１項に記載のディスプレイ用反射防止フィルム。
【請求項１８】
前記第１斜面部の表面上に、又は前記第１斜面部及び前記第２斜面部の表面上に、反射膜が形成されている、請求項１〜１７のいずれか１項に記載のディスプレイ用反射防止フィルム。
【請求項１９】
表示面を含むディスプレイと、前記表示面上に設けられた請求項１〜１８のいずれか１項に記載のディスプレイ用反射防止フィルムとを含み、前記ディスプレイ用反射防止フィルムの前記第１主面側が視認側に配置されている、反射防止フィルム付きディスプレイ。
【発明の詳細な説明】
【技術分野】
【０００１】
本発明は、ディスプレイ用反射防止フィルム及び反射防止フィルム付きディスプレイに関する。
【背景技術】
【０００２】
液晶表示素子を含むディスプレイである液晶ディスプレイ、有機エレクトロルミネッセンス素子（有機ＥＬ素子）を含むディスプレイである有機ＥＬディスプレイなどのディスプレイは、外光の一部を表示面で反射する場合がある。更に、ディスプレイに含まれる素子の内部構造が、表示面を透過した外光の一部を反射する場合もある。このような外光の反射は、ディスプレイの画質を低下させる一因となっている。特に有機ＥＬディスプレイの場合、下部の金属電極により反射される外光の割合が大きく、ディスプレイの画質低下が顕著である。そこで、外光の反射を抑制するために、ディスプレイに反射抑制のためのフィルムを設けることがある。
【０００３】
例えば、有機ＥＬディスプレイのパネル前面の一部に、黒色物質が塗布されたフィルターを設ける技術が開示されている。
【先行技術文献】
【特許文献】
【０００４】
【特許文献１】特開２００５−２０９６５１号公報
【発明の概要】
【発明が解決しようとする課題】
【０００５】
特許文献１の技術では、外光の反射を抑制するために設けたフィルターにより、発光素子から出射した光が遮られて、ディスプレイから出射する光の強度が低下する場合がある。
したがって、外光の反射を抑制しつつ、ディスプレイから出射する光強度の低下が抑制された、ディスプレイ用反射防止フィルム、及びそのようなディスプレイ用反射防止フィルムを含む、反射防止フィルム付きディスプレイが求められている。
【課題を解決するための手段】
【０００６】
本発明者は、前記課題を解決するべく、鋭意検討した結果、複数の凹部が設けられた透明部と、凹部のそれぞれを覆う黒色部とを含み、凹部が入射した光を反射する所定の第１斜面部を含む、ディスプレイ用反射防止フィルムにより前記課題が解決できることを見出し、本発明を完成させた。
すなわち、本発明は、以下を提供する。
【０００７】
［１］  第１主面と第２主面と前記第１主面に設けられた複数の凹部とを含む透明部と、前記凹部のそれぞれを覆う黒色部とを含み、
前記凹部は、前記第１主面からの深さがｈ１であり、前記第１主面と平行な面に対する傾斜角が（９０°−１／２×θ１）である第１斜面部を含み、０°＜θ１＜１８０°であり、
前記第１斜面部は、前記第２主面側から入射した光を反射する、
ディスプレイ用反射防止フィルム。
［２］  前記凹部は、前記第１斜面部を２以上含み、前記第１斜面部は、前記第１主面からの深さｈ１の位置で互いに交わる、［１］に記載のディスプレイ用反射防止フィルム。
［３］  前記第１斜面部の全光線反射率が７０％以上である、［１］又は［２］に記載のディスプレイ用反射防止フィルム。
［４］  複数の前記凹部が、複数の溝である、［１］〜［３］のいずれか１項に記載のディスプレイ用反射防止フィルム。
［５］  複数の前記溝が、互いに交わらない複数の第１の溝を含む、［４］に記載のディスプレイ用反射防止フィルム。
［６］  複数の前記第１の溝が、互いに平行に設けられている、［５］に記載のディスプレイ用反射防止フィルム。
［７］  複数の前記第１の溝が、一定のピッチｐ１で設けられている、［５］又は［６］に記載のディスプレイ用反射防止フィルム。
［８］  複数の前記溝が、互いに交わらない複数の第２の溝を更に含み、前記第２の溝は、前記第１の溝と交わる、［５］〜［７］のいずれか１項に記載のディスプレイ用反射防止フィルム。
［９］  複数の前記第２の溝が、互いに平行に設けられている、［８］に記載のディスプレイ用反射防止フィルム。
［１０］  複数の前記第２の溝が、一定のピッチｐ１で設けられている、［８］又は［９］に記載のディスプレイ用反射防止フィルム。
［１１］  下記式（１）及び式（２）を満たす、［７］又は［１０］に記載のディスプレイ用反射防止フィルム。
０°≦｜θ１−（θＣＲ−θＲ）｜≦５°    （１）
０．９×ｈ１×（ｔａｎθＣＲ＋ｔａｎ（θ１／２））≦ｐ１≦１．１×ｈ１×（ｔａｎθＣＲ＋ｔａｎ（θ１／２））    （２）
但し、θＣＲは、前記透明部と空気との臨界角（°）であり、θＲは、ｓｉｎθＲ／ｓｉｎ２５°＝１．５２／ｎ１の関係を満たす角度（°）であり、ここでｎ１は前記透明部の屈折率である。
［１２］  前記透明部の屈折率ｎ１が１．５３±０．１であり、θ１＝１６°±５°であり、ｐ１＝（１．０１±０．１）×ｈ１である、［７］、［１０］又は［１１］に記載のディスプレイ用反射防止フィルム。
［１３］  前記凹部が、前記第１主面と平行な面に対する傾斜角が（９０°−１／２×θ２）であり、前記第１主面と連続する第２斜面部をさらに含み、１８０°＞θ２＞θ１＞０°であり、前記第２斜面部は、前記第２主面側から入射した光を反射し、前記第１斜面部と前記第２斜面部とが連続する、［１］〜［１２］のいずれか１項に記載のディスプレイ用反射防止フィルム。
［１４］  前記第２斜面部の全光線反射率が７０％以上である、［１３］に記載のディスプレイ用反射防止フィルム。
［１５］  前記凹部が、前記第２斜面部を２以上含み、θ２＝４１°±５°であり、２以上の前記第２斜面部を延ばして得られる面が互いに交わる位置の、前記第１主面からの深さをｈ２とすると、ｈ２＝（０．５±０．１）×ｈ１を満たす、［１３］又は［１４］に記載のディスプレイ用反射防止フィルム。
［１６］  前記第１主面側における表面積の３３％以上８０％以下が前記黒色部で覆われている、［１］〜［１５］のいずれか１項に記載のディスプレイ用反射防止フィルム。
［１７］  前記複数の凹部と、前記黒色部とで囲まれる空間が空気で満たされている、［１］〜［１６］のいずれか１項に記載のディスプレイ用反射防止フィルム。
［１８］  前記第１斜面部の表面上に、又は前記第１斜面部及び前記第２斜面部の表面上に、反射膜が形成されている、［１］〜［１７］のいずれか１項に記載のディスプレイ用反射防止フィルム。
［１９］  表示面を含むディスプレイと、前記表示面上に設けられた［１］〜［１８］のいずれか１項に記載のディスプレイ用反射防止フィルムとを含み、前記ディスプレイ用反射防止フィルムの前記第１主面側が視認側に配置されている、反射防止フィルム付きディスプレイ。
【発明の効果】
【０００８】
本発明によれば、外光の反射を抑制しつつ、ディスプレイから出射する光強度の低下が抑制された、ディスプレイ用反射防止フィルム、及びそのようなディスプレイ用反射防止フィルムを含む、反射防止フィルム付きディスプレイを提供できる。
【図面の簡単な説明】
【０００９】
【図１】図１は、本発明の第１実施形態に係るディスプレイ用反射防止フィルムを、概略的に表す上面図である。
【図２】図２は、図１におけるＡ−Ａ切断面を概略的に表す断面図である。
【図３】図３は、本発明の第２実施形態に係るディスプレイ用反射防止フィルムを、概略的に表す断面図である。
【図４】図４は、本発明の第３実施形態に係るディスプレイ用反射防止フィルムを、概略的に表す上面図である。
【図５】図５は、図４におけるＢ−Ｂ切断面を概略的に表す断面図である。
【図６】図６は、図４におけるＢ’−Ｂ’切断面を概略的に表す断面図である。
【図７】図７は、本発明の第４実施形態に係るディスプレイ用反射防止フィルムを概略的に表す斜視図である。
【図８】図８は、本発明の第５実施形態に係るディスプレイ用反射防止フィルムを概略的に表す上面図である。
【図９】図９は、図８におけるＣ−Ｃ切断面を概略的に表す断面図である。
【図１０】図１０は、図８におけるＣ’−Ｃ’切断面を概略的に表す断面図である。
【図１１】図１１は、図９の一部の拡大図である。
【図１２】図１２は、図１０の一部の拡大図である。
【図１３】図１３は、本発明の第６実施形態に係るディスプレイ用反射防止フィルムを概略的に表す斜視図である。
【図１４】図１４は、本発明の一実施形態に係る反射防止フィルム付きディスプレイを概略的に表す断面図である。
【図１５】図１５は、凹部の形状を定める条件を説明する説明図である。
【発明を実施するための形態】
【００１０】
以下、実施形態及び例示物を示して本発明について詳細に説明する。ただし、本発明は以下に示す実施形態及び例示物に限定されるものでは無く、本発明の特許請求の範囲及びその均等の範囲を逸脱しない範囲において任意に変更して実施しうる。
【００１１】
以下の説明において、「ディスプレイ用反射防止フィルム」を、単に「反射防止フィルム」という場合がある。
【００１２】
以下の説明において、反射防止には、反射が全く生じないようにする場合の他、ディスプレイに反射防止フィルムを備え付けることにより、備え付けていないディスプレイと比較して、反射を抑制する場合も含まれる。
【００１３】
以下の説明において、反射防止フィルムの上面とは、ディスプレイに取り付ける側とは反対側の面（視認側の面）をいう。
【００１４】
以下の説明において、「透明」には、全光線透過率が１００％である場合の他、全光線透過率が１００％に満たない、半透明の場合も含まれ、通常、厚み方向の全光線透過率が８０％以上１００％以下の場合をいう。
【００１５】
以下の説明において、「黒色」には、反射率が０％である場合の他、反射率が５％以下である場合も含まれる。
【００１６】
以下の説明において、反射防止フィルムが有する斜面部の、第１主面と平行な面に対する傾斜角は、斜面部と接する面（斜面部が平面である場合は、斜面部を含む面）と、第１主面と平行な面とのなす角度を意味する。
【００１７】
［１．ディスプレイ用反射防止フィルム］
［ディスプレイ用反射防止フィルムの概要］
本発明のディスプレイ用反射防止フィルムは、第１主面と第２主面と前記第１主面に設けられた複数の凹部とを含む透明部と、前記凹部のそれぞれを覆う黒色部とを含み、前記凹部は、前記第１主面からの深さがｈ１であり、前記第１主面と平行な面に対する傾斜角が（９０°−１／２×θ１）である第１斜面部を含み、０°＜θ１＜１８０°であり、前記第１斜面部は、前記第２主面側から入射した光を反射する。
【００１８】
［第１実施形態］
図１は、本発明の第１実施形態に係るディスプレイ用反射防止フィルムを、概略的に表す上面図である。図２は、図１におけるＡ−Ａ切断面を概略的に表す断面図である。
図１及び図２に示すように、反射防止フィルム１００は、透明部１１０と、黒色部１２０とを備える。
【００１９】
透明部１１０は、第１主面１１１と第２主面１１２とを有するフィルム状の部材である。透明部１１０は、透明である材料から構成されている。透明部１１０の第１主面１１１には、複数の凹部１１３が設けられている。複数の凹部１１３は、互いに同じ形状を有しており、第１主面１１１からの深さｈ１が一定である。複数の凹部１１３は、第１主面１１１と平行な方向に延びる溝であり、複数の凹部１１３は、互いに交わることなく平行に第１主面１１１に配置されている。複数の凹部１１３は、隣り合う凹部１１３と、一定のピッチｐ１で設けられている。凹部１１３は、第１主面１１１と平行な面１１７に対する傾斜角がθ１’＝（９０°−１／２×θ１）である、２つの第１斜面部１１４ａ、１１４ｂを備える。ここで、０°＜θ１＜１８０°である。第１斜面部１１４ａ、１１４ｂは、それぞれ平面である。第１斜面部１１４ａ、１１４ｂは、それぞれ第１主面１１１と連続し、第１主面からの深さｈ１の位置１１４Ｐで互いに交わっている。ここで、隣り合う凹部１１３における、第１斜面部１１４ａと第１斜面部１１４ｂとが交わる位置１１４Ｐの間隔が、凹部１１３のピッチｐ１に相当する。第１斜面部１１４ａと第１斜面部１１４ｂとがなす角度は、θ１である。すなわち、対向する第１斜面部同士がなす角度がθ１である。図２に示すように、凹部１１３と黒色部１２０とで規定される空間の断面は、二等辺三角形である。
【００２０】
黒色部１２０は、凹部１１３を覆うように設けられている。黒色部１２０は、黒色の材料で構成されている。黒色部１２０は、互いに平行に第１主面１１１に配置された複数の凹部１１３それぞれを覆うように複数設けられているので、複数の黒色部１２０は互いに平行に配置されており、また隣り合う黒色部１２０は、凹部１１３と同様にピッチｐ１で設けられている。本実施形態では、黒色部１２０は、凹部１１３が有する開口部１１５を覆っており、凹部１１３の内部を埋めてはおらず、凹部１１３と黒色部１２０とで囲まれる空間は、空気で満たされている。
【００２１】
反射防止フィルム１００の第１主面１１１側から照射される外光の一部は、黒色部１２０で吸収されて、反射が抑制される。
一方、ディスプレイの発光部から出射され、第２主面１１２側から反射防止フィルム１００に入射した光の一部は透明部１１０を透過し、黒色部１２０で覆われていない、透明部１１０の表面１１０Ｕから、反射防止フィルム１００の外部に出射される。また、当該光の別の一部は、凹部１１３が備える第１斜面部１１４ａ、１１４ｂと空気との界面で反射されることにより、黒色部１２０で覆われていない、透明部１１０の表面１１０Ｕから、反射防止フィルム１００の外部に出射される。したがって、反射防止フィルム１００が凹部１１３を備えることにより、凹部１１３を備えない場合には黒色部１２０によって遮られて出射されない光の少なくとも一部を、反射防止フィルム１００から出射させることができる。
よって、反射防止フィルム１００は、外光の反射を抑制しつつ、ディスプレイから出射する光の強度が低下することを抑制できる。
【００２２】
反射防止フィルム１００の第１主面１１１側における全表面積における、黒色部１２０で覆われている表面積の割合は、好ましくは３３％以上であり、より好ましくは４０％以上であり、更に好ましくは４５％以上であり、好ましくは８０％以下であり、より好ましくは７０％以下である。
【００２３】
本実施形態において、透明部１１０の屈折率をｎ１、透明部１１０と空気との臨界角をθＣＲ（°）、θＲが、ｓｉｎθＲ／ｓｉｎ２５°＝１．５２／ｎ１の関係を満たす角度（°）であるとした場合に、下記式（１）及び式（２）の関係が満たされる。
０°≦｜θ１−（θＣＲ−θＲ）｜≦５°    （１）
０．９×ｈ１×（ｔａｎθＣＲ＋ｔａｎ（θ１／２））≦ｐ１≦１．１×ｈ１×（ｔａｎθＣＲ＋ｔａｎ（θ１／２））    （２）
【００２４】
式（１）において、｜θ１−（θＣＲ−θＲ）｜の値は、より好ましくは４°以下であり、更に好ましくは３°以下であり、特に好ましくは０°である。
【００２５】
上記式（２）において、ｐ１の値は、より好ましくは０．９５×ｈ１×（ｔａｎθＣＲ＋ｔａｎ（θ１／２））以上であり、より好ましくは１．０５×ｈ１×（ｔａｎθＣＲ＋ｔａｎ（θ１／２））以下であり、更に好ましくは１．０×ｈ１×（ｔａｎθＣＲ＋ｔａｎ（θ１／２））である。
【００２６】
上記式（１）及び式（２）の関係が満たされることにより、凹部１１３が備える第１斜面部１１４ａ、１１４ｂと空気との界面での光の反射が、全反射又は全反射に近くなり、黒色部１２０で覆われていない、透明部１１０の表面１１０Ｕから反射防止フィルム１００の外部に出射される光の強度をより大きくすることができる。
【００２７】
本実施形態において、透明部１１０の屈折率は、好ましくは１．５３±０．１であり、好ましくはθ１＝１６°±５°であり、好ましくはｐ１＝（１．０１±０．１）ｈ１である。
【００２８】
［第２実施形態］
図３は、本発明の第２実施形態に係るディスプレイ用反射防止フィルムを概略的に表す断面図である。
図３に示すように、反射防止フィルム２００は、透明部２１０と、黒色部２２０と、更に反射膜２３０とを備える。
【００２９】
透明部２１０は、透明部１１０と同様の構成を有している。透明部２１０は、凹部１１３と同様の構成を有する凹部２１３を備え、第１斜面部１１４ａ、１１４ｂとそれぞれ同様の構成を有する第１斜面部２１４ａ、２１４ｂを備えている。
【００３０】
反射膜２３０は、凹部２１３が備える第１斜面部２１４ａ、２１４ｂの表面上に設けられている。反射膜２３０は、例えば、金属膜などの、光を反射する材料で形成されている。反射膜２３０の全光線反射率は、好ましくは７０％以上であり、より好ましくは７５％以上であり、さらに好ましくは８５％以上である。反射膜２３０の全光線反射率は、通常１００％以下であり、高いほど好ましい。
【００３１】
黒色部２２０は、反射膜２３０が設けられた凹部２１３の内部を埋めるように設けられ、その結果、凹部２１３の開口部２１５を覆っている。反射防止フィルム２００の第１主面２１１側における全表面積における、黒色部２２０で覆われている表面積の割合は、好ましくは３３％以上であり、より好ましくは４０％以上であり、更に好ましくは４５％以上であり、好ましくは８０％以下であり、より好ましくは７０％以下である。
【００３２】
反射防止フィルム２００は、反射防止フィルム１００と同様に、外光の一部を黒色部２２０が吸収することにより外光の反射を抑制する。また、ディスプレイの発光部から反射防止フィルム２００に入射した光の一部は透明部２１０を透過し、黒色部２２０で覆われていない、透明部２１０の表面２１０Ｕから、反射防止フィルム２００の外部に出射される。さらに、当該光の別の一部は、第１斜面部２１４ａ、２１４ｂの表面上に設けられた反射膜２３０により反射されて、表面２１０Ｕから、反射防止フィルム２００の外部に出射される。したがって、反射防止フィルム２００は、反射防止フィルム１００と同様に、外光の反射を抑制しつつ、ディスプレイから出射する光の強度が低下することを抑制できる。
【００３３】
［第３実施形態］
図４は、本発明の第３実施形態に係るディスプレイ用反射防止フィルムを、概略的に表す上面図である。図５は、図４におけるＢ−Ｂ切断面を概略的に表す断面図である。図６は、図４におけるＢ’−Ｂ’切断面を概略的に表す断面図である。
【００３４】
図４、図５、及び図６に示すように、反射防止フィルム３００は、透明部３１０と、黒色部３２０とを備える。透明部３１０は、透明である材料から構成されたフィルム状の部材である。透明部３１０は第１主面３１１及び第２主面３１２を有し、第１主面３１１には、複数の凹部３１３Ａ及び複数の凹部３１３Ｂが設けられている。凹部３１３Ａ、３１３Ｂは、第１主面３１１からの深さｈ１が一定である。複数の凹部３１３Ａは、第１主面３１１と平行な方向に延びる溝（第１の溝）であり、複数の凹部３１３Ａは、互いに交わることなく平行に第１主面３１１に配置されている。複数の凹部３１３Ａは、隣り合う凹部３１３Ａに対して、一定のピッチｐ１で設けられている。凹部３１３Ａは、第１主面３１１と平行な面３１７に対する傾斜角がθ１’＝（９０°−１／２×θ１）である、２つの第１斜面部３１４Ａａ、３１４Ａｂを備える。ここで、０°＜θ１＜１８０°である。第１斜面部３１４Ａａ、３１４Ａｂは、それぞれ平面である。第１斜面部３１４Ａａ、３１４Ａｂは、それぞれ第１主面３１１と連続し、第１主面３１１からの深さｈ１の位置３１４ＡＰで互いに交わっている。ここで、隣り合う凹部３１３Ａにおける、第１斜面部３１４Ａａと第１斜面部３１４Ａｂとが交わる位置３１４ＡＰの間隔が、凹部３１３Ａのピッチｐ１に相当する。第１斜面部３１４Ａａと第１斜面部３１４Ａｂとがなす角度は、θ１である。すなわち、対向する第１斜面部同士がなす角度がθ１である。図５に示すように、凹部３１３Ａと黒色部３２０とで規定される空間の断面は、二等辺三角形である。
【００３５】
複数の凹部３１３Ｂは、第１主面３１１と平行な方向に延びる溝（第２の溝）であり、複数の凹部３１３Ｂは、互いに交わることなく平行に第１主面３１１に配置されている。凹部３１３Ｂは、凹部３１３Ａと直交する。複数の凹部３１３Ａ及び複数の凹部３１３Ｂにより、碁盤目状（マトリックス状）の溝が第１主面３１１に構成されている。複数の凹部３１３Ｂは、隣り合う凹部３１３Ｂに対して、一定のピッチｐ１で設けられている。凹部３１３Ｂは、第１主面３１１と平行な面３１７に対する傾斜角がθ１’＝（９０°−１／２×θ１）である、２つの第１斜面部３１４Ｂａ、３１４Ｂｂを備える。第１斜面部３１４Ｂａ、３１４Ｂｂは、それぞれ第１主面３１１と連続し、第１主面３１１からの深さｈ１の位置３１４ＢＰで互いに交わっている。ここで、隣り合う凹部３１３Ｂにおける、第１斜面部３１４Ｂａと第１斜面部３１４Ｂｂとが交わる位置３１４ＢＰの間隔が、凹部３１３Ｂのピッチｐ１に相当する。第１斜面部３１４Ｂａと第１斜面部３１４Ｂｂとがなす角度は、θ１である。すなわち、対向する第１斜面部同士がなす角度がθ１である。図６に示すように、凹部３１３Ｂと黒色部３２０とで規定される空間の断面は、二等辺三角形である。
【００３６】
黒色部３２０は、凹部３１３Ａ及び凹部３１３Ｂを覆うように設けられている。黒色部３２０は、黒色の材料で構成されている。黒色部３２０は、複数の凹部３１３Ａ及び複数の凹部３１３Ｂ（すなわち、複数の凹部３１３Ａ及び複数の凹部３１３Ｂで構成されたマトリックス状の溝）を覆うように設けられているので、黒色部３２０はマトリックス状に設けられており、凹部３１３Ａ及び凹部３１３Ｂと同様にピッチｐ１で設けられている。本実施形態では、黒色部３２０は、凹部３１３Ａ及び凹部３１３Ｂが有する開口部３１５を覆っており、凹部３１３Ａ及び凹部３１３Ｂの内部を埋めてはおらず、凹部３１３Ａと凹部３１３Ｂと黒色部３２０とで囲まれる空間は、空気で満たされている。
【００３７】
反射防止フィルム３００の第１主面３１１側における全表面積における、黒色部３２０で覆われている表面積の割合は、好ましくは３３％以上であり、より好ましくは４５％以上であり、好ましくは８０％以下であり、より好ましくは７０％以下である。
【００３８】
本実施形態においても、第１実施形態と同様に、式（１）及び式（２）が満たされる。
【００３９】
本実施形態において、透明部３１０の屈折率は、好ましくは１．５３±０．１であり、好ましくはθ１＝１６°±５°であり、好ましくはｐ１＝（１．０１±０．１）ｈ１である。
【００４０】
反射防止フィルム３００は、反射防止フィルム１００と同様の作用により、外光の反射を抑制しつつ、ディスプレイから出射する光の強度が低下することを抑制できる。
【００４１】
［第４実施形態］
図７は、本発明の第４実施形態に係るディスプレイ用反射防止フィルムを概略的に表す斜視図である。
図７に示すように、反射防止フィルム４００は、透明部４１０と、黒色部４２０と、更に反射膜４３０とを備える。
【００４２】
透明部４１０は、透明部３１０と同様の構成を有している。透明部４１０は、凹部３１３Ａ及び凹部３１３Ｂとそれぞれ同様の構成を有する凹部４１３Ａ及び凹部４１３Ｂを備え、凹部４１３Ａは、第１斜面部３１４Ａａ、３１４Ａｂとそれぞれ同様の構成を有する第１斜面部４１４Ａａ、４１４Ａｂを備え、凹部４１３Ｂは、第１斜面部３１４Ｂａ、３１４Ｂｂとそれぞれ同様の構成を有する第１斜面部４１４Ｂａ、４１４Ｂｂを備えている。
【００４３】
反射膜４３０は、凹部４１３Ａが備える第１斜面部４１４Ａａ、４１４Ａｂの表面上と、凹部４１３Ｂが備える第１斜面部４１４Ｂａ、４１４Ｂｂの表面上とに設けられている。反射膜４３０を形成する材料、及び全光線反射率は、第２実施形態における反射膜２３０と同様のものとしうる。
【００４４】
黒色部４２０は、反射膜４３０が設けられた凹部４１３Ａ及び凹部４１３Ｂの内部を埋めるように設けられ、その結果、開口部４１５を覆っている。反射防止フィルム４００の第１主面４１１側における全表面積における、黒色部４２０で覆われている表面積の割合は、好ましくは３３％以上であり、より好ましくは４５％以上であり、好ましくは８０％以下であり、より好ましくは７０％以下である。
【００４５】
反射防止フィルム４００は、反射防止フィルム２００と同様の作用により、外光の反射を抑制しつつ、ディスプレイから出射する光の強度が低下することを抑制できる。
【００４６】
［第５実施形態］
図８は、本発明の第５実施形態に係るディスプレイ用反射防止フィルムを概略的に表す上面図である。図９は、図８におけるＣ−Ｃ切断面を概略的に表す断面図である。図１０は、図８におけるＣ’−Ｃ’切断面を概略的に表す断面図である。図１１は、図９の一部の拡大図である。図１２は、図１０の一部の拡大図である。
【００４７】
図８、図９、図１０、図１１、及び図１２に示すように、反射防止フィルム５００は、透明部５１０と、黒色部５２０とを備える。透明部５１０は、透明である材料から構成されたフィルム状の部材である。透明部５１０は第１主面５１１及び第２主面５１２を有し、第１主面５１１には、複数の凹部５１３Ａ及び複数の凹部５１３Ｂが設けられている。凹部５１３Ａ、５１３Ｂは、第１主面５１１からの深さｈ１が一定である。
【００４８】
複数の凹部５１３Ａは、第１主面５１１と平行な方向に延びる溝（第１の溝）であり、複数の凹部５１３Ａは、互いに交わることなく平行に第１主面５１１に配置されている。複数の凹部５１３Ａは、隣り合う凹部５１３Ａに対して、一定のピッチｐ１で設けられている。凹部５１３Ａは、第１主面５１１と平行な面５１７に対する傾斜角がθ１’＝（９０°−１／２×θ１）である、２つの第１斜面部５１４Ａａ、５１４Ａｂと、第１主面５１１と平行な面５１８に対する傾斜角がθ２’＝（９０°−１／２×θ２）であり、第１主面５１１と連続する２つの第２斜面部５１６Ａａ、５１６Ａｂとを備える。ここで、１８０°＞θ２＞θ１＞０°である。第１斜面部５１４Ａａ、５１４Ａｂ、第２斜面部５１６Ａａ、５１６Ａｂは、それぞれ平面である。
【００４９】
第１斜面部５１４Ａａ、５１４Ａｂは、第１主面５１１からの深さｈ１の位置５１４ＡＰで互いに交わっている。ここで、隣り合う凹部５１３Ａにおける、第１斜面部５１４Ａａと第１斜面部５１４Ａｂとが交わる位置５１４ＡＰの間隔が、凹部５１３Ａのピッチｐ１に相当する。第１斜面部５１４Ａａと第１斜面部５１４Ａｂとがなす角度は、θ１である。すなわち、対向する第１斜面部同士がなす角度がθ１である。
【００５０】
第２斜面部５１６Ａａの一端は、第１主面５１１と連続し、第２斜面部５１６Ａａの他端は、第１斜面部５１４Ａａと連続する。第２斜面部５１６Ａｂの一端は、第１主面５１１と連続し、第２斜面部５１６Ａｂの他端は、第１斜面部５１４Ａｂと連続する。第２斜面部５１６Ａａを延ばして得られる面５１６Ａａｆと、第２斜面部５１６Ａｂを延ばして得られる面５１６Ａｂｆとは、第１主面５１１からの深さがｈ２の位置５１６ＡＰで、角度θ２をなして交わっている。すなわち、対向する第２斜面部を延ばして得られる面同士がなす角度がθ２である。
【００５１】
複数の凹部５１３Ｂは、第１主面５１１と平行な方向に延びる溝（第２の溝）であり、複数の凹部５１３Ｂは、互いに交わることなく平行に第１主面５１１に配置されている。凹部５１３Ｂは、凹部５１３Ａと直交する。複数の凹部５１３Ａ及び複数の凹部５１３Ｂにより、碁盤目状（マトリックス状）の溝が第１主面５１１に構成されている。複数の凹部５１３Ｂは、隣り合う凹部５１３Ｂに対して、一定のピッチｐ１で設けられている。凹部５１３Ｂは、第１主面５１１と平行な面５１７に対する傾斜角がθ１’＝（９０°−１／２×θ１）である、２つの第１斜面部５１４Ｂａ、５１４Ｂｂと、第１主面５１１と平行な面５１８に対する傾斜角が、θ２’＝（９０°−１／２×θ２）であり、第１主面５１１と連続する２つの第２斜面部５１６Ｂａ、５１６Ｂｂとを備える。ここで、１８０°＞θ２＞θ１＞０°である。第１斜面部５１４Ｂａ、５１４Ｂｂ、第２斜面部５１６Ｂａ、５１６Ｂｂは、それぞれ平面である。
【００５２】
第１斜面部５１４Ｂａ、５１４Ｂｂは、第１主面５１１からの深さｈ１の位置５１４ＢＰで互いに交わっている。ここで、隣り合う凹部５１３Ｂにおける、第１斜面部５１４Ｂａと第１斜面部５１４Ｂｂとが交わる位置５１４ＢＰの間隔が、凹部５１３Ｂのピッチｐ１に相当する。第１斜面部５１４Ｂａと第１斜面部５１４Ｂｂとがなす角度は、θ１である。すなわち、対向する第１斜面部同士がなす角度がθ１である。
【００５３】
第２斜面部５１６Ｂａの一端は、第１主面５１１と連続し、第２斜面部５１６Ｂａの他端は、第１斜面部５１４Ｂａと連続する。第２斜面部５１６Ｂｂの一端は、第１主面５１１と連続し、第２斜面部５１６Ｂｂの他端は、第１斜面部５１４Ｂｂと連続する。第２斜面部５１６Ｂａを延ばして得られる面５１６Ｂａｆと、第２斜面部５１６Ｂｂを延ばして得られる面５１６Ｂｂｆとは、第１主面５１１からの深さがｈ２の位置５１６ＢＰで、角度θ２をなして交わっている。すなわち、対向する第２斜面部を延ばして得られる面同士がなす角度がθ２である。
【００５４】
黒色部５２０は、凹部５１３Ａ及び凹部５１３Ｂを覆うように設けられている。黒色部５２０は、黒色の材料で構成されている。黒色部５２０は、複数の凹部５１３Ａ及び複数の凹部５１３Ｂ（すなわち、複数の凹部５１３Ａ及び複数の凹部５１３Ｂで構成されたマトリックス状の溝）を覆うように設けられているので、黒色部５２０はマトリックス状に設けられており、凹部５１３Ａ及び凹部５１３Ｂと同様にピッチｐ１で設けられている。本実施形態では、黒色部５２０は、凹部５１３Ａ及び凹部５１３Ｂが有する開口部５１５を覆っており、凹部５１３Ａ及び凹部５１３Ｂの内部を埋めてはおらず、凹部５１３Ａと凹部５１３Ｂと黒色部５２０とで囲まれる空間は、空気で満たされている。
【００５５】
反射防止フィルム５００の第１主面５１１側における全表面積における、黒色部５２０で覆われている表面積の割合は、好ましくは３３％以上であり、より好ましくは５０％以上であり、更に好ましくは６０％以上であり、好ましくは８０％以下であり、より好ましくは７５％以下であり、更に好ましくは７０％以下である。
【００５６】
本実施形態においても、第１実施形態と同様に、式（１）及び式（２）が満たされる。
【００５７】
本実施形態において、透明部５１０の屈折率は、好ましくは１．５３±０．１であり、好ましくはθ１＝１６°±５°であり、好ましくはｐ１＝（１．０１±０．１）ｈ１である。
【００５８】
本実施形態において、好ましくはθ２＝４１°±５°であり、好ましくはｈ２＝（０．５±０．１）×ｈ１である。
【００５９】
反射防止フィルム５００の第１主面５１１側から照射される外光の一部は、黒色部５２０で吸収されて、反射が抑制される。反射防止フィルム５００は、第２斜面部５１６Ａａ、５１６Ａｂ、５１６Ｂａ、５１６Ｂｂを有しているので、第２斜面部を有さない反射防止フィルム３００と比較して、第１主面５１１側の表面をより広範囲に黒色部５２０で覆うことができる。よって、反射防止フィルム５００は、反射防止フィルム３００と比較して外光の反射をより抑制することが期待される。
【００６０】
一方、ディスプレイの発光部から出射され、第２主面５１２側から反射防止フィルム５００に入射した光の一部は、凹部５１３Ａが備える、第１斜面部５１４Ａａ、５１４Ａｂ、第２斜面部５１６Ａａ、５１６Ａｂと空気との界面で反射され、及び、凹部５１３Ｂが備える、第１斜面部５１４Ｂａ、５１４Ｂｂ、第２斜面部５１６Ｂａ、５１６Ｂｂと空気との界面で反射されることにより、黒色部５２０で覆われていない、透明部５１０の表面５１０Ｕから、反射防止フィルム５００の外部に出射される。したがって、反射防止フィルム５００が凹部５１３Ａ、５１３Ｂを備えることにより、凹部５１３Ａ、５１３Ｂを備えない場合には黒色部５２０によって遮られて出射されない光の少なくとも一部を、反射防止フィルム５００から出射させることができる。
よって、反射防止フィルム５００は、外光の反射を抑制しつつ、ディスプレイから出射する光の強度が低下することを抑制できる。
【００６１】
［第６実施形態］
図１３は、本発明の第６実施形態に係るディスプレイ用反射防止フィルムを概略的に表す斜視図である。
図１３に示すように、反射防止フィルム６００は、透明部６１０と、黒色部６２０と、更に反射膜６３０とを備える。
【００６２】
透明部６１０は、透明部５１０と同様の構成を有している。透明部６１０は、凹部５１３Ａと同様の構成を有する凹部６１３Ａと、凹部５１３Ｂと同様の構成を有する凹部６１３Ｂとを備え、第１斜面部５１４Ａａ、５１４Ａｂ、５１４Ｂａ、５１４Ｂｂとそれぞれ同様の構成を有する、第１斜面部６１４Ａａ、６１４Ａｂ、６１４Ｂａ、６１４Ｂｂを備え、第２斜面部５１６Ａａ、５１６Ａｂ、５１６Ｂａ、５１６Ｂｂとそれぞれ同様の構成を有する、第２斜面部６１６Ａａ、６１６Ａｂ、６１６Ｂａ、６１６Ｂｂを備えている。
【００６３】
反射膜６３０は、第１斜面部６１４Ａａ、６１４Ａｂ、６１４Ｂａ、６１４Ｂｂの表面上と、第２斜面部６１６Ａａ、６１６Ａｂ、６１６Ｂａ、６１６Ｂｂの表面上とに設けられている。反射膜６３０を形成する材料、及び全光線反射率は、第２実施形態における反射膜２３０と同様のものとしうる。
【００６４】
黒色部６２０は、反射膜６３０が設けられた凹部６１３Ａ、６１３Ｂの内部を埋めるように設けられ、その結果、開口部６１５を覆っている。反射防止フィルム６００の第１主面６１１側における全表面積における、黒色部６２０で覆われている表面積の割合は、好ましくは３３％以上であり、より好ましくは５０％以上であり、更に好ましくは６０％以上であり、好ましくは８０％以下であり、より好ましくは７５％以下であり、更に好ましくは７０％以下である。
【００６５】
反射防止フィルム６００は、反射防止フィルム５００と同様の作用により、外光の反射を抑制しつつ、ディスプレイから出射する光の強度が低下することを抑制できる。
【００６６】
本発明の反射防止フィルムは、上記の実施形態に限定されない。例えば凹部に含まれる第１斜面部は、頂角がθ１である、直円錐の側面状（円錐面状）に形成されていてもよく、さらに第２斜面部が、頂角がθ２である直円錐から得られる直円錐台の側面状に形成されていてもよい。
また、例えば縁が直線状となるように凹部としての溝が形成されていてもよく、縁が曲線状となるように凹部としての溝が形成されていてもよい。
【００６７】
［反射防止フィルムの製造方法］
反射防止フィルムは、例えば下記の方法により製造されうる。
金属ブロックを準備し、ダイヤモンドバイトで切削することにより、金属ブロックに所望の形状の凹部を形成する。
凹部を形成した金属ブロックから、例えばニッケル電鋳により凹部の反転形状を有するスタンパー（金型）を作製する。
屈折率ｎ１である透明樹脂フィルムを準備し透明樹脂フィルムの一方の面（第１主面）に対して作製したスタンパーを用いてホットプレスして、所望の形状の凹部を透明樹脂フィルムに形成する。
【００６８】
透明樹脂フィルムの第１主面に、透明フィルムを貼り合わせる。貼り合わせた透明フィルムの表面に、紫外線が照射されると粘着性を失う粘着剤を塗布する。
透明樹脂フィルムの第１主面とは反対側の面（第２主面）から、紫外線を照射する。紫外線は、凹部の有する斜面部（第１斜面部、又は第１斜面部及び第２斜面部）により反射されて、透明フィルムのうち、凹部を覆う部分以外から出射されるため、透明フィルムに塗布された粘着剤のうち、凹部を覆う部分以外は粘着性を失う。一方、凹部を覆う部分は、粘着性を保持している。
次いで、透明フィルムに黒色部を形成するためのカーボンシートを重ね、次いで剥離する。透明フィルムに塗布された粘着剤により、凹部を覆う透明フィルムの部分は、カーボンシートが付着し、粘着剤が紫外線の照射により粘着性を失っている凹部を覆っていない透明フィルムの部分は、カーボンシートが付着しない。これにより、凹部を覆う黒色部が形成される。
【００６９】
透明樹脂フィルムの第１主面に透明フィルムを貼り合せた後、透明フィルムのうち凹部を覆う部分に黒色材料を印刷などにより付着させることにより、凹部を覆う黒色部を形成してもよい。
【００７０】
透明樹脂フィルムに凹部を形成した後、凹部と透明樹脂フィルムの第１主面との境界付近に粘着剤を塗布し、黒色フィルムを凹部を覆うように貼り付けてもよい。
【００７１】
反射膜が凹部に形成されている反射防止フィルムは、例えば下記の方法により製造されうる。
例えば上記の方法で、一方の面（第１主面）に所望の形状の凹部が形成された透明樹脂フィルムを製造する。
次いで、透明樹脂フィルムの凹部が形成された面に、アルミニウムなどの金属を蒸着し、凹部の内部を含む透明樹脂フィルムの全面に反射膜を形成する。次いで、金属を蒸着させた面に、黒色材料を塗布する。これにより、凹部の内部に黒色材料が充填される。次いで、黒色材料を塗布した透明樹脂フィルムの上面を研磨することにより、第１主面から黒色材料及び反射膜を除去して、反射膜が設けられた凹部の内部を埋めるように黒色部が形成されている反射防止フィルムを製造できる。
【００７２】
［２．反射防止フィルム付きディスプレイ］
本発明の反射防止フィルムは、ディスプレイが有する発光素子より視認側に設けることにより、ディスプレイによる外光の反射を抑制でき、かつディスプレイから出射する光強度の低下を抑制できる。したがって、本発明の反射防止フィルムを、ディスプレイに好適に使用できる。
【００７３】
図１４は、本発明の一実施形態に係る反射防止フィルム付きディスプレイを概略的に表す断面図である。
図１４に示すように、反射防止フィルム付きディスプレイ１０００は、反射防止フィルム１００とディスプレイ１００１とを備える。本実施形態では、ディスプレイ１００１の最も外側であって、視認側に、反射防止フィルム１００が設けられている。反射防止フィルム１００を、別の実施形態に係る反射防止フィルムとしてもよい。
【００７４】
ディスプレイ１００１としては、特に限定されないが、例えば、有機ＥＬディスプレイ、液晶ディスプレイなどの直視型ディスプレイが挙げられ、特に、下部電極による外光反射を効果的に抑制できるため、有機ＥＬディスプレイが好ましい。
【００７５】
反射防止フィルム付きディスプレイ１０００は、反射防止フィルム１００を備えているので、外光の反射が抑制されていながら、出射する光の強度の低下が抑制されている。
【実施例】
【００７６】
［有機ＥＬディスプレイからの出射光の測定］
まず、有機ＥＬディスプレイからどのような出射光が放出されているかを測定より確認した。有機ＥＬディスプレイとしては、サムソン製スマートフォン「ギャラクシー（登録商標）」のディスプレイを使用した。測定結果から、有機ＥＬディスプレイから出射される光の、表示面の法線方向に対する角度（以下、放射角度という。）θ（°）に対して光度をプロットしたグラフにおいて、半値幅が、５０．５°であることが分かり、また、光の放射角度θ（°）に対する光度の関係が（ｃｏｓθ）６により近似されることが分かった。そこで、有機ＥＬディスプレイの発光体から出射される光の光度を、（ｃｏｓθ）６と設定した。また、光の光度の近似：（ｃｏｓθ）６に基づき、全放射光量に対する−２５°≦θ≦２５°の範囲の放射光量の割合を求めたところ、８１％であった。
【００７７】
［実施例１］
有機ＥＬディスプレイに、反射防止フィルムを取り付けたモデルを設定した。反射防止フィルムは、第３実施形態と同様の構成とした。
反射防止フィルムは、黒色部と透明部とを備えており、黒色部によって外光が吸収され、外光の反射が抑制される。有機ＥＬディスプレイから出射された光は、黒色部で覆われていない透明部の表面から反射防止フィルムの外部に出射される。外光の反射を抑制するためには、反射防止フィルムの第１主面側（視認側）を占める黒色部の面積が大きいほど好ましく、一方有機ＥＬディスプレイから出射される光の強度が低下することを抑制するためには、黒色部で覆われていない透明部の表面から効率良く光を出射させることが好ましい。黒色部で覆われていない透明部の表面から出射される光の強度が大きくなるように、反射防止フィルムの凹部の形状を定めた。具体的には、有機ＥＬディスプレイから放射角度θ＝±２５°の光を、黒色部で覆われていない透明部の表面から最も多く出射させる凹部の形状を定めた。
【００７８】
条件は下記のとおりとした。
有機ＥＬディスプレイの発光層の屈折率：１．５２
有機ＥＬディスプレイの発光層から放射角度θ＝±２５°で、屈折率ｎ１（但し、屈折率ｎ１は空気の屈折率より大きい）である透明部に光が入射し、入射した光は凹部が備える第１斜面部で全反射される。第１斜面部で全反射された光は、隣り合う凹部が備える第１斜面部に到達せずに、黒色部で覆われていない透明部の表面に到達し、透明部の表面から出射される。透明部の表面と空気との界面では光は全反射されない。
【００７９】
図１５は、凹部の形状を定める条件を説明する説明図である。
有機ＥＬディスプレイの発光層Ｌから放射角度θ＝２５°で出射した、矢印Ａ１で示される方向の光は、第１斜面部３１４Ａａ、３１４Ａｂが交わる位置３１４ＡＰで全反射されて矢印Ａ２で示される方向の光となり、透明部３１０の表面（第１主面３１１）から、第１主面３１１と平行な方向（即ち、矢印Ａ３で示される方向）へ出射されるものとする。θＣＲは、全反射が起こる入射角と起こらない入射角との境界の入射角（臨界角）である。
【００８０】
上記条件下で、ｎ１、ｐ１、ｈ１、及びθ１の関係を求めたところ、下記式を満たすことが分かった。
｜θ１−（θＣＲ−θＲ）｜＝０°    （１’）
ｐ１＝ｈ１×（ｔａｎθＣＲ＋ｔａｎ（θ１／２））    （２’）
但し、θＣＲは、前記透明部と空気との臨界角（°）であり、θＲは、ｓｉｎθＲ／ｓｉｎ２５°＝１．５２／ｎ１の関係を満たす角度（°）である。
【００８１】
本モデルにおいて、反射防止フィルムの全表面積における、黒色部で覆われていない透明部の表面積の割合ＲＴＲは、次式で算出される。
【００８２】
【数１】
2019215455.tif 000003
【００８３】
反射防止フィルムの全表面積における、黒色部で覆われる表面積の割合ＲＢＬは、次式で算出される。
ＲＢＬ＝１−ＲＴＲ
【００８４】
上記式（１’）及び式（２’）を満たす、ｎ１、θＣＲ、θＲ、θ１、ｐ１の組の例を表１に示す。
【００８５】
【表１】
2019215455.tif 000004
【００８６】
また、上記式（１’）及び式（２’）を満たす反射防止フィルムにおける、ＲＴＲの例を表２に示す。
【００８７】
【表２】
2019215455.tif 000005
【００８８】
照明設計解析ソフトウェア（Ｏｐｔｉｃａｌ  Ｒｅｓｅａｒｃｈ  Ａｓｓｏｃｉａｔｅｓ社製「ＬｉｇｈｔＴｏｏｌｓ」）を用いて、上記式（１’）及び（２’）の条件及び下記設定で光線追跡シミュレーションを行った。
有機ＥＬディスプレイの発光範囲：１０ｍｍ×１０ｍｍ
モデリングの反射防止フィルムの面積：１０ｍｍ×１０ｍｍ
観測面の面積：２ｍｍ×２ｍｍ
観測面の位置：反射防止フィルムの中央部
ｎ１＝１．５３
θ１＝１６°
ｈ１＝５０μｍ
反射防止フィルムの厚みｈ＝１００μｍ
ｐ１＝５０．５μｍ
【００８９】
［実施例２］
有機ＥＬディスプレイに、第５実施形態と同様の構成を有する反射防止フィルムを取り付けたモデルを設定した。下記の事項以外は実施例１と同様にして光線追跡シミュレーションを行った。
・黒色部に覆われる表面積の割合ＲＢＬが、６０％となるようにｈ２を２５μｍに設定した。
・θ２を４１°に設定した。
【００９０】
［実施例３］
有機ＥＬディスプレイに、第５実施形態と同様の構成を有する反射防止フィルムを取り付けたモデルを設定した。下記の事項以外は実施例１と同様にして光線追跡シミュレーションを行った。
・黒色部に覆われる表面積の割合ＲＢＬが、７５％となるようにｈ２を３４μｍに設定した。
・θ２を４１°に設定した。
【００９１】
［実施例４］
有機ＥＬディスプレイに、第４実施形態と同様の構成を有する反射防止フィルムを取り付けたモデルを設定し、下記の事項以外は実施例１と同様にして光線追跡シミュレーションを行った。
・反射膜の全光線反射率を８５％に設定した。
【００９２】
［参考例１］
有機ＥＬディスプレイに、黒色部及び凹部を設けていない、屈折率ｎ１＝１．５３、厚み１００μｍのフィルムを取り付けたモデルを設定し、実施例１と同じ照明設計解析ソフトウェアを用いて光線追跡シミュレーションを行った。
【００９３】
［参考例２］
参考例１のモデルの視認側に更に円偏光板を取り付けたモデルを設定し、円偏光板により上面からの出射量が半減するとしてモデル上面からの出射量を求めた。
【００９４】
以下の表に、実施例１〜４、参考例１及び２について、黒色部に覆われるフィルム表面積の割合（％）、モデル上面からの出射量（％）、参考例２（円偏光板を取り付けたモデル）の出射量に対する割合（％）を示した。
【００９５】
【表３】
2019215455.tif 000006
【００９６】
以上の結果から、実施例１〜４に係る反射防止フィルムは、従来汎用されている円偏光板を含む反射防止フィルムと比較して、同程度の、又はそれ以上の出射量を確保できることがわかる。また、実施例１〜４に係る反射防止フィルムは、黒色部を有することから、参考例１と比較して外光の反射を抑制できる。
【符号の説明】
【００９７】
１００  反射防止フィルム
１１０  透明部
１１０Ｕ  表面
１１１  第１主面
１１２  第２主面
１１３  凹部
１１４ａ  第１斜面部
１１４ｂ  第１斜面部
１１４Ｐ  位置
１１５  開口部
１１７  面
１２０  黒色部
２００  反射防止フィルム
２１０  透明部
２１０Ｕ  表面
２１１  第１主面
２１３  凹部
２１４ａ  第１斜面部
２１４ｂ  第１斜面部
２１５  開口部
２２０  黒色部
２３０  反射膜
３００  反射防止フィルム
３１０  透明部
３１１  第１主面
３１２  第２主面
３１３Ａ  凹部
３１３Ｂ  凹部
３１４Ａａ  第１斜面部
３１４Ａｂ  第１斜面部
３１４ＡＰ  位置
３１４Ｂａ  第１斜面部
３１４Ｂｂ  第１斜面部
３１４ＢＰ  位置
３１５  開口部
３１７  面
３２０  黒色部
４００  反射防止フィルム
４１０  透明部
４１１  第１主面
４１３Ａ  凹部
４１３Ｂ  凹部
４１４Ａａ  第１斜面部
４１４Ａｂ  第１斜面部
４１４Ｂａ  第１斜面部
４１４Ｂｂ  第１斜面部
４１５  開口部
４２０  黒色部
４３０  反射膜
５００  反射防止フィルム
５１０  透明部
５１０Ｕ  表面
５１１  第１主面
５１２  第２主面
５１３Ａ  凹部
５１３Ｂ  凹部
５１４Ａａ  第１斜面部
５１４Ａｂ  第１斜面部
５１４Ｂａ  第１斜面部
５１４Ｂｂ  第１斜面部
５１４ＡＰ  位置
５１４ＢＰ  位置
５１５  開口部
５１６Ａａ  第２斜面部
５１６Ａｂ  第２斜面部
５１６Ａａｆ  面
５１６Ａｂｆ  面
５１６ＡＰ  位置
５１６Ｂａ  第２斜面部
５１６Ｂｂ  第２斜面部
５１６Ｂａｆ  面
５１６Ｂｂｆ  面
５１６ＢＰ  位置
５１７  面
５１８  面
５２０  黒色部
６００  反射防止フィルム
６１０  透明部
６１１  第１主面
６１３Ａ  凹部
６１３Ｂ  凹部
６１４Ａａ  第１斜面部
６１４Ａｂ  第１斜面部
６１４Ｂａ  第１斜面部
６１４Ｂｂ  第１斜面部
６１５  開口部
６１６Ａａ  第２斜面部
６１６Ａｂ  第２斜面部
６１６Ｂａ  第２斜面部
６１６Ｂｂ  第２斜面部
６２０  黒色部
６３０  反射膜
１０００  反射防止フィルム付きディスプレイ
１００１  ディスプレイ
【図１】
2019215455.tif 000007
【図２】
2019215455.tif 000008
【図３】
2019215455.tif 000009
【図４】
2019215455.tif 000010
【図５】
2019215455.tif 000011
【図６】
2019215455.tif 000012
【図７】
2019215455.tif 000013
【図８】
2019215455.tif 000014
【図９】
2019215455.tif 000015
【図１０】
2019215455.tif 000016
【図１１】
2019215455.tif 000017
【図１２】
2019215455.tif 000018
【図１３】
2019215455.tif 000019
【図１４】
2019215455.tif 000020
【図１５】
2019215455.tif 000021